【手続補正書】
【提出日】平成30年3月30日(2018.3.30)
【手続補正１】
【補正対象書類名】明細書
【補正対象項目名】０２３１
【補正方法】変更
【補正の内容】
【０２３１】
本開示の範囲及び趣旨から外れることなく、本発明の予測可能な修正及び変更が当業者には自明であろう。本発明は、例証の目的のために本出願において説明された実施形態に限定されるべきではない。本発明の実施態様の一部を以下の項目［１］−［１５］に記載する。
［項目１］
フィルムの幅方向に沿って配設された第１のセグメント及び第２のセグメントを備えるフィルムであって、前記第２のセグメントは、前記第１のセグメントより弾性的であり、前記第１のセグメントは、ポリマーと希釈剤を含む第１のポリマー組成物を含み、前記希釈剤は前記ポリマーの溶融温度より高い温度で前記ポリマーと混和性であるが、前記ポリマーの結晶化温度未満の温度で前記ポリマーから相分離する、フィルム。
［項目２］
フィルムの幅方向に沿って配設された第１のセグメント及び第２のセグメントを備えるフィルムであって、前記第２のセグメントは、前記第１のセグメントより弾性的であり、前記第１のセグメントは、β−造核剤又は希釈剤による熱誘起相分離のうち少なくとも１つを含む第１のポリマー組成物を含み、前記第１のポリマー組成物が前記β−造核剤を含む場合、前記第１のセグメントは直立柱を含まない、フィルム。
［項目３］
前記第１のセグメントは希釈剤による熱誘起相分離を含む、項目２に記載のフィルム。
［項目４］
前記第１の表面は微多孔性である、項目１又は３に記載のフィルム。
［項目５］
前記第１のセグメント及び前記第２のセグメントは、前記第１のポリマー組成物及び弾性的なポリマー組成物をそれぞれ含む交互になっているサイドバイサイドのストライプであり、前記弾性的なポリマー組成物は前記第１のポリマー組成物より弾性的である、項目１〜３のいずれか一項に記載のフィルム。
［項目６］
前記第１のセグメント又は前記第２のセグメントのうち少なくとも一部は、前記フィルムの厚さ方向において第１の層及び第２の層を含む層状化されたセグメントであり、前記第１の層及び前記第２の層は異なるポリマー組成物を有する、項目１〜３のいずれか一項に記載のフィルム。
［項目７］
前記第２のセグメントは、芯及び鞘を備えるストランドであり、前記芯は弾性的な組成物を含み、前記鞘より弾性的であり、前記第１のポリマー組成物より弾性的である、項目１〜３のいずれか一項に記載のフィルム。
［項目８］
前記第１のセグメント及び前記第２のセグメントは、集合的に前記フィルムの第１の主表面を形成する第１の主表面をそれぞれ有し、以下の限定、すなわち、
前記第１のセグメントの前記第１の主表面と前記第２のセグメントの前記第１の主表面とが、共通のポリマー組成物を共有しないこと、又は
前記第１のセグメントの少なくとも一部では、前記第１の層は前記第２の層よりも小さい厚さを有する内部層であり、前記第１のセグメントの前記第１の主表面を含むこと、のうち少なくとも１つを満たす、項目６に記載のフィルム。
［項目９］
前記第２のセグメントは、前記第１のセグメントと連続する前記第１のポリマー組成物のマトリックスに埋め込まれた前記第１のポリマー組成物より弾性的である弾性的なポリマー組成物のストランドを備える、項目１〜３のいずれか一項に記載のフィルム。
［項目１０］
前記第１のセグメントは、前記フィルムの長手方向に延伸誘導性分子配向を有する、項目１〜３のいずれか一項に記載のフィルム。
［項目１１］
繊維状担体と結合した項目１〜３のいずれか一項に記載のフィルムを含む積層体。
［項目１２］
項目１〜３のいずれか一項に記載のフィルムを含む、吸収性物品。
［項目１３］
第１の温度で前記フィルムの幅方向に沿って配設された前記第１のセグメント及び前記第２のセグメントを備える前記フィルムであって、前記第２のセグメントは、前記第１のセグメントより弾性的であり、前記第１のセグメントは、ポリマーと希釈剤を含む第１のポリマー組成物を含み、前記希釈剤は前記第１の温度で前記ポリマーと混和性である、フィルムを提供することと、
前記フィルムを第２の温度まで冷却することであって、前記ポリマーは少なくとも部分的に結晶化し、前記希釈剤から相分離する、ことと、を含む、項目１〜３のいずれか一項に記載のフィルムの製造方法。
［項目１４］
前記フィルムを少なくとも１つの方向に延伸することを更に含む、項目１３に記載の方法。
［項目１５］
前記少なくとも１つの方向が縦方向を含む、項目１４に記載の方法。
【手続補正２】
【補正対象書類名】特許請求の範囲
【補正対象項目名】全文
【補正方法】変更
【補正の内容】
【特許請求の範囲】
【請求項１】
フィルムの幅方向に沿って配設された第１のセグメント及び第２のセグメントを備えるフィルムであって、前記第２のセグメントは、前記第１のセグメントより弾性的であり、前記第１のセグメントは、ポリマーと希釈剤を含む第１のポリマー組成物を含み、前記希釈剤は前記ポリマーの溶融温度より高い温度で前記ポリマーと混和性であるが、前記ポリマーの結晶化温度未満の温度で前記ポリマーから相分離する、フィルム。
【請求項２】
フィルムの幅方向に沿って配設された第１のセグメント及び第２のセグメントを備えるフィルムであって、前記第２のセグメントは、前記第１のセグメントより弾性的であり、前記第１のセグメントは、β−造核剤又は希釈剤による熱誘起相分離のうち少なくとも１つを含む第１のポリマー組成物を含み、前記第１のポリマー組成物が前記β−造核剤を含む場合、前記第１のセグメントは直立柱を含まない、フィルム。
【請求項３】
前記第１のセグメントは希釈剤による熱誘起相分離を含む、請求項２に記載のフィルム。
【請求項４】
前記第１の表面は微多孔性である、請求項１又は３に記載のフィルム。
【請求項５】
前記第１のセグメント及び前記第２のセグメントは、前記第１のポリマー組成物及び弾性的なポリマー組成物をそれぞれ含む交互になっているサイドバイサイドのストライプであり、前記弾性的なポリマー組成物は前記第１のポリマー組成物より弾性的である、又は
前記第１のセグメント又は前記第２のセグメントのうち少なくとも一部は、前記フィルムの厚さ方向において第１の層及び第２の層を含む層状化されたセグメントであり、前記第１の層及び前記第２の層は異なるポリマー組成物を有する、又は
前記第２のセグメントは、芯及び鞘を備えるストランドであり、前記芯は弾性的な組成物を含み、前記鞘より弾性的であり、前記第１のポリマー組成物より弾性的である、又は
前記第２のセグメントは、前記第１のセグメントと連続する前記第１のポリマー組成物のマトリックスに埋め込まれた前記第１のポリマー組成物より弾性的である弾性的なポリマー組成物のストランドを備える、請求項１〜４のいずれか一項に記載のフィルム。
【請求項６】
前記第１のセグメント及び前記第２のセグメントは、集合的に前記フィルムの第１の主表面を形成する第１の主表面をそれぞれ有し、以下の限定、すなわち、
前記第１のセグメントの前記第１の主表面と前記第２のセグメントの前記第１の主表面とが、共通のポリマー組成物を共有しないこと、又は
前記第１のセグメントの少なくとも一部では、前記第１の層は前記第２の層よりも小さい厚さを有する内部層であり、前記第１のセグメントの前記第１の主表面を含むこと、のうち少なくとも１つを満たす、請求項５に記載のフィルム。
【請求項７】
前記第１のセグメントは、前記フィルムの長手方向に延伸誘導性分子配向を有する、請求項１〜６のいずれか一項に記載のフィルム。
【請求項８】
繊維状担体と結合した請求項１〜７のいずれか一項に記載のフィルムを含む積層体。
【請求項９】
請求項１〜７のいずれか一項に記載のフィルムを含む、吸収性物品。
【請求項１０】
第１の温度で前記フィルムの幅方向に沿って配設された前記第１のセグメント及び前記第２のセグメントを備える前記フィルムであって、前記第２のセグメントは、前記第１のセグメントより弾性的であり、前記第１のセグメントは、ポリマーと希釈剤を含む第１のポリマー組成物を含み、前記希釈剤は前記第１の温度で前記ポリマーと混和性である、フィルムを提供することと、
前記フィルムを第２の温度まで冷却することであって、前記ポリマーは少なくとも部分的に結晶化し、前記希釈剤から相分離する、ことと、任意に、
前記フィルムを少なくとも１つの方向に延伸することと、を含む、請求項１〜７のいずれか一項に記載のフィルムの製造方法。